(57)【特許請求の範囲】
【請求項１】
ガラス又は透明な合成樹脂材料によって剛性を有するパネル状に形成されるとともに外周部をほぼ非拘束状態で支持されてなる鏡板と、
上記鏡板の主面に取り付けられるとともに再生入力信号に基づいて上記鏡板に部分的な曲げ動作を生じさせる加振動源を構成する少なくとも１個以上のドライバユニットと、
外周部が上記鏡板の周囲に延在するように形成されるとともに内面側に上記ドライバユニットが取り付けられているミラーカバーとを備え、
上記鏡板が、上記ドライバユニットによって駆動されて再生入力信号に基づく再生出力を放音する振動体として作用することを特徴とするパネル型スピーカ装置。
【請求項２】
上記鏡板は、自動車用のバックミラー装置の鏡板であり、搭載される音響再生装置、ナビゲーションシステム、警報装置のいずれ一のスピーカ装置の振動体を構成することを特徴とする請求項１記載のパネル型スピーカ装置。
【請求項３】
上記ミラーカバーの背面部に自在継手機構を設け、上記自在継手機構を介して取付アームが設けられていることを特徴とする請求項１記載のパネル型スピーカ装置。
【発明の詳細な説明】
【０００１】
【発明の属する技術分野】
本発明は、例えば乗用車等に搭載されるナビゲーションシステムやラジオ受信機等のスピーカ装置に用いて好適なパネル型スピーカ装置に関する。
【０００２】
【従来の技術】
乗用車等には、ラジオ受信機やカーステレオ装置等の音響再生装置が搭載されているが、最近では道路案内を行うナビゲーションシステムや各種の警報を運転者に知らせる警報装置等もオプションで搭載されるようになっている。例えばラジオ受信機やカーステレオ装置は、一般にそのスピーカ装置が後部座席のバックグリルに配置されるとともに、ダッシュボードやフロントドアにも設置されている。
【０００３】
ナビゲーションシステムは、道路案内を表示装置によって画像表示するとともに、スピーカ装置を介して表示画像に対応した内容が音声ガイドされる機能も有している。ナビゲーションシステムや警報装置等のオプション装置は、一般にそのスピーカ装置がダッシュボードやフロントドアに設置される。
【０００４】
一方、家庭内やホテルの室内等には、化粧を行ったり衣服を整えたりするために使用される姿見が適宜の位置に配置されている。最近では、例えば化粧をしながらラジオ放送の受信や音響再生装置からの音楽を聞く、いわゆる「ながら族」が増えている。したがって、姿見の近傍には、ラジオ受信機や音響再生装置が設置されていれば極めて便利であり、気分良く化粧等が行われる。また、ホテル等においては、室内に配置されたスピーカ装置を通じて、適宜のバックグランドミュージックが流されている。スピーカ装置は、室内の雰囲気を損なわないように配置される必要があるとともに、室内の各所に配置されることによってバックグランドミュージックを耳障りにならない程度の音量で放音することが好ましい。
【０００５】
ところで、スピーカ装置としては、一般にコーン型ダイナミックスピーカやホーン型ダイナミックスピーカ等が用いられている。例えばコーン型ダイナミックスピーカは、円錐形状を呈して形成された振動板と、この振動板を駆動するドライバユニットと、振動板の外周縁部を支持するフレームと、これら各部材を収納したキャビネット等の部材によって構成される。ドライバユニットは、ボイスコイルと、ポールと、プレートと、マグネットと、ダンパー及びセンタキャップ等の部材によって構成されている。
【０００６】
振動板は、軽量で内部損失が大きい素材によって上述した円錐形を基本形状に形成され、その中心部にドライバユニットが配置される。振動板は、一般に内周部から外周部に向かって次第にその厚みが薄くされるるとともに、その外周縁部が全周に亘って矢紙を介してフレームに支持されている。フレームは、振動板とドライバとを結合するとともに、振動板の保護作用も奏する部材である。フレームには、振動板に対してその振動動作による反作用の影響を及ぼさないように、一般に切欠き窓が形成されている。矢紙は、振動板の外周縁部の押さえと、この振動板が振動動作した際にキャビネットの取付部と接触しないように作用する。
【０００７】
一方、ホーン型ダイナミックスピーカは、ボイスコイルによって駆動される振動板の振動音をホーンによって拡大して放出するようにしたものであり、ホーンを有する以外の基本的な構成については上述したコーン型ダイナミックスピーカと同等とされる。すなわち、ホーン型ダイナミックスピーカにおいても、マグネットと、その先端部に一体に組み付けられたポールと、ポールの周囲を取り囲むヨークと、ポールと対向する開口部を有してヨークに組み付けられたプレートとによってドライバユニットを構成し、このドライバユニットによって振動板が振動動作される。
【０００８】
振動板は、アルミニウム等の軽金属や合成樹脂等によって球面形状を呈して形成されている。振動板は、開口部を閉塞することによってポールと対向するようにしてその外周縁部がプレートに結合されている。振動板は、上述したコーン型ダイナミックスピーカの振動板よりも小さくかつ振動系の共振が再生帯域のほぼ中央領域でよいために機械的剛性が大きい。したがって、振動板は、ダンパーを介すること無くプレートに結合されるとともに、その周辺部をドライバユニットによって振動動作される。換言すれば、ホーン型ダイナミックスピーカにおいても、その振動板が、コーン型ダイナミックスピーカの振動板と同様に外周縁部を固定されて支持されている。
【０００９】
ところで、スピーカ装置においては、ボックス等を必要とせず薄型であり、自由な位置に設置することができるいわゆるパネル型スピーカ装置の実現について多くの試みが図られてきた。しかしながら、これらの多くの試みは、いずれも技術上の限界や音響性能の限界等によって理想的なパネル型スピーカ装置を実現するまでには至っていない。これらの試みは、その多くが上述したコーン型ダイナミックスピーカやホーン型ダイナミックスピーカを基本としたものであった。
【００１０】
薄型スピーカ装置としては、例えばパネル状の振動板を固定極に対して微小な間隔を以って対向配置してなるコンデンサ型スピーカが知られている。コンデンサ型スピーカは、一般に振動板に金属薄膜が成膜形成されるとともにこの振動板と固定極との間に数１００ボルトの直流偏倚電圧が印加されてなる。振動板は、固定極に再生信号が入力されると、この固定極との間の磁気的吸引力の変化によって振動する。また、コンデンサ型スピーカとしては、振動板を挟んで固定極を配置することによって、全帯域用に対応するようにしたプッシュプル型スピーカも提供されている。
【００１１】
コンデンサ型スピーカは、上述したように放音部に数１００ボルトの電圧を印加する必要があることから、いかなる場所にでも自由に設置することが困難であるとともに、温度や湿度条件の変化による安定性が低いといった問題点を有している。また、コンデンサ型スピーカは、入力電圧が直流偏倚電圧に規定されることによって、入力電圧に対して得られる最大無歪み出力音圧レベルが上述したダイナミックスピーカ装置に比較して小さいといった問題もある。さらに、コンデンサ型スピーカは、全帯域で安定した周波数特性を確保するためには振動板が大型化するといったように種々の問題点を有している。
【００１２】
【発明が解決しようとする課題】
ところで、ナビゲーションシステム等のスピーカ装置は、上述したようにダッシュボードやフロントドアに設置されることから、運転者の耳の位置に対して下側となるとともに比較的遠くに位置された状態となる。したがって、スピーカ装置は、放音する音声ガイドや警報音が、エンジン音や走行音によってマスキングされてしまって運転者がこれを充分に聞き取ることができないといった問題を生じさせていた。また、スピーカ装置は、放音する音声ガイドや警報音が、さらに遠い位置となる助手席や後部座席にいる同乗者にも充分に聞き取らさせることができないといった問題があった。
【００１３】
かかるナビゲーションシステム等のスピーカ装置の問題点は、より高出力のスピーカ装置を備えることによって、その改善を図ることが可能とされる。しかしながら、ナビゲーションシステム等のスピーカ装置は、車内の限られたスペースに設置されることから小型でなければならない。上述した従来の種々のスピーカ装置においては、充分な音量でかつ良好な音質かつ同乗者に対する指向性を保持するために大型となりこれらを採用することが困難であった。
【００１４】
ところで、スピーカ装置は、一般に再生入力信号が供給されるとドライバユニットによって振動板がピストンのように動作して出力再生が行われると考えられている。したがって、パネル型スピーカ装置においても、振動板を電磁駆動方式や静電駆動方式により上述した従来型のスピーカ装置の振動板と同様に動作する高精度の平面ダイヤフラムを製作する試みがなされていた。例えば静電駆動方式の振動板においては、所定のテンションを以って外周部が支持されており、ドライバユニットからの駆動力が与えられるとその駆動位置から波動が同心円状に連続して発生する。かかる振動板は、大きな単一位相の振動板として動作することによって、音の集中と制御が不可能な振動とを生じる大面積ピストン動作に起因する種々の問題を解決しなければならない。
【００１５】
一方、パネル型スピーカ装置として、曲げ波動理論に基づいてドライバユニットにより振動板を駆動するようにした新規なパネル構造を有するスピーカ装置が提案されている。この新規なパネル型スピーカ装置は、機械的剛性が比較的大きな堅いパネル構造によって振動板が構成されており、ドライバユニットから駆動力が与えられるとこの振動板の表面全体に複雑な振動モードが生成される。振動モードは、平面パネル（振動板）の動作周波数の範囲に均一に分布された最も複雑で密集した波形の構造となる。新規なパネル型スピーカ装置は、有限サイズの振動板に関する曲げ波動の物理的特性と、波動の速度対周波数特性と、駆動点インピーダンス特性との解析により特徴付けられる。
【００１６】
新規なパネル型スピーカ装置は、想定される用途に応じてパラメータが最適化された曲げ剛性の振動板が用いられ、一致周波数の下方周波数帯域までの動作が可能とされる。新規なパネル型スピーカ装置は、一般に振動板から最大密度の曲げモードを確保するために、この振動板の中心点付近がドライバユニットによって駆動される。振動板は、有限要素解析によって均一なモード密度を与える特定の縦横比が数学的なモデリングツールによって実証されている。また、新規なパネル型スピーカ装置は、フーリェ型の分析によって、最良のモードの均一性を実現する振動板に対する駆動力の供給位置が求められる。そして、新規なパネル型スピーカ装置においては、フーリェ型分析の拡張によって高周波数帯域において多少の損失が生じるものの、より大きな面積の振動板を駆動することも可能とされる。振動板は、波動関数のゼロ周波数限界をとることにより、より一般的な静的梁の曲げ方程式に近似した曲げ剛性の式によって表現される。
【００１７】
新規なパネル型スピーカ装置は、振動板の曲げ動作を規定する要因、すなわち面密度、曲げ剛性、幾何学的寸法（外形寸法）、表面積、駆動点の位置、及びドライブユニットのパラメータ、コアのシェアモジュール、内部損失、或いは振動板の支持方法のパラメータが最適に設定されることによって製作される。一般的なスピーカ装置においては、ダイポールと称される後方の音が前方の音と逆相を呈することから、中周波数帯域から低周波数帯域の音響エネルギーの打ち消しを防ぐ大きなバッフル板やエンクロジャを必要とする。一方、新規なパネル型スピーカ装置においては、バイポーラと称される後方の音の輻射が前方の音と加算されることから、効率の改善が図られるとともにバッフル板やエンクロージャを不要としている。
【００１８】
新規なパネル型スピーカ装置は、単一素子のトランスデューサで駆動される１枚のパネル状振動板によってフルレンジの出力再生を可能とする。新規なパネル型スピーカ装置は、振動板の適切な材質の選択とトランスデューサに適合した構成とによって従来のスピーカ装置と同等のフラットな周波数特性をえることが可能となる。
【００１９】
新規なパネル型スピーカ装置は、感度と電気的負荷とが従来のスピーカ装置と同等とされることにより既存のアンプとの互換性が図られるばかりでなく動電型ドライバユニットや圧電型ドライバユニットの適用が可能とされ、非常に広い音場の放射パターン並びに双指向性の放射パターンが得られる。新規なパネル型スピーカ装置は、機械的エネルギから音響的エネルギへの変換効率がほぼ１００％であるとともに周波数に独立した無指向性放射の特性、すなわち各周波数に関してサウンドパワーの大きな均一性を保有している。新規なパネル型スピーカ装置は、距離の条件によるサウンドパワーの減衰が小さいといった特徴を有するとともに、その新規な構成によりその他種々の特徴を有している。
【００２０】
本発明は、上述したドライバユニットによって再生入力信号に基づいて振動板に曲げ動作を生じさせて駆動し出力再生を行う曲げ波動理論に基づく新規なパネル型スピーカ装置を基本構成として、鏡板を振動板として構成することによって例えばバックミラー装置によって乗用車等に搭載されるナビゲータシステムのスピーカ装置を構成し得るようにした新規なパネル型スピーカ装置を提供することを目的に提案されたものである。
【００２１】
【課題を解決するための手段】
この目的を達成する本発明にかかるパネル型スピーカ装置は、ガラス又は透明な合成樹脂材料によって剛性を有するパネル状に形成されるとともに外周部をほぼ非拘束状態で支持されてなる鏡板と、上記鏡板の主面に取り付けられるとともに再生入力信号に基づいて上記鏡板に部分的な曲げ動作を生じさせる加振動源を構成する少なくとも１個以上のドライバユニットと、外周部が上記鏡板の周囲に延在するように形成されるとともに内面側に上記ドライバユニットが取り付けられているミラーカバーとを備え、上記鏡板が、上記ドライバユニットによって駆動されて再生入力信号に基づく再生出力を放音する振動体として作用するようにしたものである。
【００２２】
また、パネル型スピーカ装置は、鏡板が自動車用のバックミラー装置の鏡板とされ、搭載される音響再生装置、ナビゲーションシステム、警報装置のいずれか一のスピーカ装置の振動体を構成する。
【００２３】
本発明にかかるパネル型スピーカ装置は、鏡板が、供給された再生入力信号に基づいてドライバユニットによって駆動されて再生出力を放音する振動体として作用する。したがって、パネル型スピーカ装置は、従来想到し得ない鏡によって構成されることから適用分野の大幅な拡大が図られる。パネル型スピーカ装置は、自動車用のバックミラー装置の鏡板を振動体として用いて搭載されたナビゲーションシステム等のスピーカ装置を構成することによって、音声ガイドや警報音等をエンジン音や走行音によってマスキングされることなく運転者には勿論のこと同乗者に対しても充分な音量と良好な音質で報知するようにする。
【００２４】
【発明の実施の形態】
以下、本発明の実施の形態について図面を参照して詳細に説明する。本発明の実施の形態として示したパネル型スピーカ装置１は、図１に示すように、例えば乗用車２に設置されるバックミラー装置を兼用しており、例えばコンソールボックス２ａに組み込まれたナビゲーション装置本体３に接続されて音声ガイドや警告等を運転者に対して報知するスピーカ装置を構成する。すなわち、パネル型スピーカ装置１は、詳細を後述するように、バックミラー装置のミラー板（鏡板）４と、ドライバユニット５と、ミラーカバー６等によって構成されてなる。パネル型スピーカ装置１は、ミラー板４がナビゲーション装置本体３から供給される音声ガイドや警報音等の再生入力信号に基づいてドライバユニット５によって部分的な曲げ動作を生じさせられて再生出力を放音する振動板として構成されるとともに、このミラー板４を駆動するドライバユニット５がミラーカバー６の内部に組み込まれてなる。
【００２５】
なお、ナビゲーション装置は、周知のように例えばカラーモニタ（表示部）と、チューナ部、イコライザ部及びスピーカ装置等の各部から構成されるが、説明の便宜上スピーカ装置を除く各部が一体に構成されるものとしナビゲーション装置本体３と総称する。ナビゲーション装置本体３は、上述したようにコンソールボックス２ａばかりでなく運転に支障のない範囲で車内の適宜の位置、例えばダッシュボード等に配設される。
【００２６】
パネル型スピーカ装置１は、従来のバックミラー装置と同様にミラーカバー６が一端部に取付台６ｂを設けた取付アーム６ａの先端部に詳細を省略する自在継手機構６ｃを介して支持されてなる。ミラーカバー６は、図２に示すように、全体矩形の浅皿状に形成され、外周フランジ部６ｄがミラー板４の外周部４ｃの周囲に延在することによりこれを保護している。ミラーカバー６には、その底面部６ｅの背面側に自在継手機構６ｃを介して取付アーム６ａが取り付けられるとともに、その内面側にドライバユニット５が取り付けられている。
【００２７】
パネル型スピーカ装置１は、図１に示すように、ミラー板４がフロントガラス２ｂの略中央上部に位置するようにして、取付台６ｂを車内天井に取り付けてなる。パネル型スピーカ装置１は、上述した自在継手機構６ｃを介してミラー板４の角度が調整自在とされており、運転者に応じてミラー面４ａの角度が適宜調整される。ミラー面４ａは、後述するように放音面を構成する。なお、パネル型スピーカ装置１は、図示しないが取付アーム６ａの内部を導かれた配線を介してナビゲーション装置本体３から音声ガイドや警告等の再生出力信号がドライバユニット５に供給される。
【００２８】
ミラー板４としては、平面鏡や、後方の視野をより確保することができる凸面鏡或いは通常の鏡と偏光鏡とを組合せてこれを切り換えるようにした防眩ミラー等によって構成されてなる。ミラー板４は、図２及び図３に示すように、例えばガラスや透明若しくは充分な光透過性を有する半透明な合成樹脂材料によって成形されたパネル状の透明基板７の背面に反射層８を形成してなる。ガラスには、耐衝撃性や安全性を考慮して合わせ強化ガラスが用いられる。合成樹脂材料としては、例えばアクリル系樹脂、ポリカーボネート系樹脂や、ポリエステル系樹脂、トリアセチルセルロース、ジアセチルセルロース等のセルロース系樹脂、スチレン系樹脂等が用いられる。なお、ミラー板４としては、反射効率の高い金属板材料を用いてその表面に鏡面加工を施すとともに適宜の防錆処理を施して構成されたものも用いられる。
【００２９】
反射層８は、周知の方法によって形成され、透明基板７の背面に銀或いはアマルガム等を塗布して銀引きするとともに、光明丹を成分とした塗料を塗布した後にセラック・ワニスや白ワニスを塗布する裏止めを行って形成する。ミラー板４は、この反射層８を形成した背面がドライバユニット５によって駆動される被駆動面４ｂとして構成される。
【００３０】
ミラー板４は、上述したように形成されることによって全体として剛性を有して構成されているが、図２に示したように、その外周部４ｃが外周フランジ部６ｄに対して非拘束状態とされてミラーカバー６に保持されている。したがって、ミラー板４は、後述するようにドライバユニット５によって駆動された場合において、その外周部４ｃが自由振動するように構成されている。
【００３１】
ドライバユニット５には、従来のスピーカ装置に備えられるボイスコイル型ドライバユニットや圧電素子を用いた圧電型ドライバユニットが用いられ、上述したようにミラー板４を振動板として駆動する。圧電型ドライバユニットは、詳細を省略するが薄厚の圧電素子によって構成されるために全体を薄型かつ小型に構成することができるために有効である。
【００３２】
図３は、ボイスコイル型ドライバユニット５を示している。ドライバユニット５は、ボイスコイル９と、再生入力信号に基づいてこのボイスコイル９を駆動する磁気回路１０とから構成されている。ボイスコイル９は、ボビン１１と、このボビン１１の外周部に捲き線を施して構成したコイル部１２とからなる。磁気回路１０は、センタポール１３と、このセンタポール１３を中心孔に貫通させて組み合わされたリング状のマグネット１４と、センタポール１３を中心孔に臨ませてマグネット１４に積層状態で組み合わされたリング状のプレート１５と、ダンパ１６等の部材によって構成される。ドライバユニット５は、ボイスコイル９がそのコイル部１２をセンタポール１３とプレート１５とによって構成される磁気空間部に位置されるようにしてダンパ１６によって支持されている。ダンパ１６は、ボイスコイル９のボビン１１とプレート１５との間を連結している。
【００３３】
以上のように構成されたドライバユニット５は、図３に示すように、ボビン１１の先端部がミラー板４の被駆動面４ｂに接合されることによって振動板を構成するこのミラー板４と組み合わされる。また、ドライバユニット５は、センタポール１３がそのフランジ部１３ａを止めねじ１７を介してミラーカバー６の底面部６ｅに固定されることによってこのミラーカバー６の内部に組み込まれる。なお、ドライバユニット５は、例えばボビン１１の先端開口部にリング状の取付プレートを嵌合し、この取付プレートを介してミラー板４に固定するようにしてもよい。
【００３４】
以上のように構成されたパネル型スピーカ装置１は、ナビゲーション装置本体３から音声ガイドや警告等の再生入力信号（音声電流）がドライバユニット５に供給されると、ミラー板４が駆動されてその放音面４ａから再生出力の放音が行われる。ドライバユニット５は、磁気回路１０の磁気空間部中に位置されたボイスコイル９に音声電流が供給されると、このボイスコイル９がミラー板４に対して直交する方向に振動する。パネル型スピーカ装置１は、ボイスコイル９のボビン１１との接合部位を駆動点としてミラー板４に部分的な曲げ動作が生じて音声ガイドや警告等の再生出力の放音が行われる。
【００３５】
図４は、上述したパネル型スピーカ装置１について、ドライバユニット５により駆動されるミラー板４の動作状態を示した図である。同図（Ａ）は、入力周波数が６２Ｈｚの再生入力信号を供給した場合のミラー板４の動作状態を示した図である。また、同図（Ｂ）は、入力周波数が１５０Ｈｚの再生入力信号を供給した場合のミラー板４の動作状態を示した図である。さらに、同図（Ｃ）は、入力周波数が５０１Ｈｚの再生入力信号を供給した場合のミラー板４の動作状態を示した図である。ミラー板４は、これらの図から明らかなように、ドライバユニット５から再生入力信号が印加されることにより曲げ動作が生じて複雑な振動モードが生成される。また、ミラー板４は、再生入力信号の周波数が高くなるにしたがってより大きなピークを有する曲げ動作が生じる。
【００３６】
また、図５は、上述したパネル型スピーカ装置１について、それぞれ１００Ｈｚ、１ＫＨｚ、１０ＫＨｚ及び２０ＫＨｚと入力周波数を異にする再生入力信号をドライバユニット５に供給した場合に、このドライバユニット５によりミラー板４が駆動されて放音される再生出力の指向特性を測定した結果を示した図である。パネル型スピーカ装置１は、上述したようにバックミラー装置を兼用して車内のほぼ中央上部に配置されていることから、再生される音声ガイドや警告等が下方部から到来するエンジン音や走行音によるマスキングを抑制されて明瞭な状態で再生出力される。
【００３７】
パネル型スピーカ装置１は、図５から明らかなように、小さな磁気回路１０を有するドライバユニット５によってミラー板４を駆動するにもかかわらずそれぞれの入力周波数に対して充分な音量を得ることができ、広周波数帯域の再生出力を可能とする。また、パネル型スピーカ装置１は、高周波数帯域に対しても良好な指向特性を有することから、運転者ばかりでなく助手席や後部座席の同乗者に対しても音声ガイドや警告等が良好な状態で聴取可能とする。
【００３８】
パネル型スピーカ装置１は、上述したように共鳴箱や音響管等を不要として振動板を構成するミラー板４を直接駆動することにより新規なナビゲーション装置を構成する。また、パネル型スピーカ装置１は、振動板を構成するミラー板４の外周部４ｃを支持するための矢紙やフレーム等の支持部材を不要とした小型で構造簡易な構成であることから、限られたスペースのミラーカバー６の内部に収納可能であるとともに部品点数も少なく組立工程が合理化されてコストの低減が図られて製造される。さらに、パネル型スピーカ装置１は、ミラー板４が大きな振動面積を有することから、従来の内蔵スピーカ装置と比較してより大きな音量かつ良好な状態で音声ガイドや警告等の再生出力を可能とする。
【００３９】
ところで、パネル型スピーカ装置１においては、上述したようにドライバユニット５がボビン１１の端部をミラー板４の被駆動面４ｄに接合固定することにより、この接合部においてミラー板４に対する駆動部を構成している。このため、パネル型スピーカ装置１は、高周波数帯域の入力周波数が印加された場合において、ボビン１１の外側に大きな振動が伝達され難いといった特徴を有している。パネル型スピーカ装置１においては、高周波数帯域の入力周波数に関して放射される音圧のエネルギーの多くがミラー板４の全体からではなく、その接合部から放出される。
【００４０】
パネル型スピーカ装置１は、高周波数帯域における有効帯域を伸ばすために、ミラー板４に対してドライバユニット５をそのボビン１１や取付プレートを楕円形のリング状或いは矩形の接合部を介して取り付けるように構成してもよい。パネル型スピーカ装置１は、かかるミラー板４とドライバユニット５との接合構造によって高周波数帯域の特性が変化される。パネル型スピーカ装置１は、これによって高周波数帯域で共振状態となる周波数帯域や振幅の調整が可能とされ、低周波数帯域及び中周波数帯域の特性とつなぎ合わせることで高周波数帯域における周波数応答特性をより広くとることが可能とされる。
【００４１】
また、パネル型スピーカ装置１は、高周波数帯域における周波数応答特性の改善を図るために、例えばドライバユニット５が接合固定されるミラー板４の全部或いは一部を材質を異にする取付板によって構成してもよい。取付板は、例えばミラー板４を合成樹脂によって成形する際に、インサート成形法によって一体化されてなり、特定の入力周波数に対する応答特性を改善する材質のものが選定される。したがって、パネル型スピーカ装置１は、ミラー板４と取付板とで振動特性を異にするために、機械的にいわゆる２ウェイスピーカ装置と同等の機能を有するようになる。
【００４２】
パネル型スピーカ装置１は、ミラー板４に振動を吸収しやすい材質によって形成された質量成分材を設けて構成してもよい。質量成分材としては、例えばテープ状とされた鉛材からなり、ミラー板４に対してその放音面４ａの外周部４ｃに全周に亘って貼着する。パネル型スピーカ装置１は、上述したようにミラー板４がその外周部４ｃを非拘束状態とされることにより低周波数帯域でもこの外周部４ｃで振動が生じ易くなるようにして低周波数帯域での安定した再生出力を得ることができるように構成されている。パネル型スピーカ装置１は、この外周部４ｃに質量成分材を設けて低周波数帯域での振動モードの発生周波数を下げることで、再生有効周波数帯域の拡張が図られる。なお、質量成分材については、上述したテープ状の鉛材に限定されるものでは無く、その他の振動損失の大きな材料或いは防振降下の大きな材料等によって形成してもよいことは勿論である。
【００４３】
ところで、上述したパネル型スピーカ装置１においては、ミラー板４を１個のドライバユニット５によって駆動するように構成したが、本発明はかかる構成に限定されるものではなく、多数個のドライバユニットを備えてミラー板４を駆動するように構成してもよいことは勿論である。パネル型スピーカ装置１は、かかる構成によってミラー板４が多数個のドライバユニットによって大きな面積の振動領域を以って駆動されるようになることから、低周波数帯域での感度の向上が図られるとともにより低い動作周波数が確保される。
【００４４】
本発明の第２の実施の形態として図６に示したパネル型スピーカ装置２０は、ミラー板４を駆動するために３個のドライバユニット２１ａ乃至２１ｃを備えてなる。なお、以下の説明において、複数からなる部材、部位については、最初にこのように表記するが、以降の説明では特に個別に説明する以外はドライバユニット２１のように総称して表記する。各ドライバユニット２１は、上述したパネル型スピーカ装置１のドライバユニット５と同一のものが用いられることからその説明を省略する。パネル型スピーカ装置２０は、各ドライバユニット２１に対して再生入力信号を供給するナビゲーション装置本体３側の入力部２２の構成に特徴を有している。すなわち、パネル型スピーカ装置２０は、各ドライバユニット２１に対して入力部２２を介してそれぞれ独立に再生入力信号の供給或いは位相の切換等を行って駆動するように構成されている。
【００４５】
入力部２２は、音声出力部２３から供給される再生入力信号を増幅するアンプ２４と、このアンプ２４と各ドライバユニット２１との間に互いに独立してそれぞれ接続された切換スイッチ２５ａ乃至２５ｃとボリューム２６ａ乃至２６ｃとからなる直列回路とから構成される。各切換スイッチ２５は、例えば各ドライバユニット５に対する再生入力信号の入力のオン／オフの切換操作とともに、入力オン状態で再生入力信号の位相の切換操作とを行う。各ボリューム２６は、各ドライバユニット５に対してそれぞれ入力される再生入力信号のレベル調整を行ってこれら各ドライバユニット５の感度を個々に調整するようにする。
【００４６】
以上のように構成されたパネル型スピーカ装置２０には、音声出力部２３を介して入力部２２から必要とされる位相成分を有する再生入力信号が供給される。パネル型スピーカ装置２０は、各ドライバユニット２１がそれぞれ独立に動作されてミラー板４を駆動して音声ガイドや警告等の再生出力を放音する。したがって、パネル型スピーカ装置２０は、特別な回路素子や切換装置等を不要とするとともに使用者による極めて簡単な操作によって、音場や音質等を適宜変えた再生出力を得ることを可能とする。
【００４７】
本発明の第３の実施の形態として図７に示したパネル型スピーカ装置３０は、上述したパネル型スピーカ装置２０と同様にミラー板４を駆動する３個のドライバユニット３１ａ乃至３１ｃを備えており、これら各ドライバユニット３１に対して再生入力信号を供給する入力部３２の構成に特徴を有している。すなわち、パネル型スピーカ装置システム３０は、入力部３２において再生入力信号を３つの周波数帯域に分割するとともに位相調整を行ってこれを合成した後、各ドライバユニット３１に供給することによってミラー板４を駆動するように構成されてなる。
【００４８】
入力部３２は、音声出力部３３から再生入力信号が供給されるバンドパスフィルタ３４ａ乃至３４ｃと、これらバンドパスフィルタ３４にそれぞれ接続された切換スイッチユニット３５乃至３７と、これら切換スイッチユニット３５乃至３７を介してそれぞれ再生入力信号が供給されるミキサ３８ａ乃至３８ｃと、各ミキサ３８と各ドライバユニット３１との間にそれぞれ介挿されたアンプ３９ａ乃至３９ｃ等によって構成されている。バンドパスフィルタ３４は、コンピュータ本体３３から供給される再生入力信号をそれぞれ所定の周波数帯域に分割する。
【００４９】
各切換スイッチユニット３５乃至３７は、それぞれミキサ３８に接続された各３個の切換スイッチ３５ａ乃至３５ｃ、３６ａ乃至３６ｃ、３７ａ乃至３７ｃによって構成されている。これら切換スイッチ３５ａ乃至３５ｃ、３６ａ乃至３６ｃ、３７ａ乃至３７ｃは、例えば各ミキサ３８に対するそれぞれ再生入力信号の入力のオン／オフの切換操作とともに、入力オン状態で再生入力信号の位相の切換操作とを行う。各ミキサ３８は、各切換スイッチユニット３５乃至３７からそれぞれ供給される所定の周波数帯域の再生入力信号を合成して各アンプ３９へと入力する。各アンプ３９は、合成再生入力信号を増幅してドライバユニット３１に供給する。
【００５０】
パネル型スピーカ装置３０は、以上のように構成されることにより、音声出力部３３から供給される再生入力信号が、入力部３２において３つの周波数帯域に分割されるとともに必要とされる位相成分に調整されて入力される。パネル型スピーカ装置３０は、各ドライバユニット３１がそれぞれ独立に動作されてミラー板４を駆動して再生音を放出する。パネル型スピーカ装置３０は、例えば低周波数帯域では各ドライバユニット３１に全て同相成分の再生入力信号が供給されるとともに中周波数帯域及び高周波数帯域では逆相成分の再生入力信号が供給されるように構成する。具体的には、パネル型スピーカ装置３０は、中周波数帯域及び高周波数帯域において、例えば上下のドライバユニット３１ａ、３１ｃに正相成分の再生入力信号が入力されるとともに、中央部のドライバユニット３１ｂに逆相成分の再生入力信号が入力される。
【００５１】
パネル型スピーカ装置３０は、低周波数帯域で同相成分の再生入力信号が各ドライバユニット３１に供給されることにより、ミラー板４により大きな曲げ動作が生じる。したがって、パネル型スピーカ装置３０は、上述したようにミラー板４の外周部４ｃに質量成分材を貼着した場合と同様に低周波数帯域でのピークが生成されて応答特性の向上、すなわち感度の向上が図られるようになる。また、パネル型スピーカ装置３０は、中周波数帯域及び高周波数帯域で逆相成分の再生入力信号を各ドライバユニット３１に供給することによって、互いに相殺される周波数帯域が生じて全体の感度が低下することから全体的に感度が平坦化が図られた再生出力が出力されるようになる。
【００５２】
なお、パネル型スピーカ装置３０は、上述したように中央部のドライバユニット３１ｂに逆相成分の再生入力信号を入力することでミラー板４に大きな曲げ動作が生じ、このミラー板４の材質特有の再生音が出力されるようになる。したがって、パネル型スピーカ装置３０は、特定の周波数帯域において入力部３２の切換スイッチユニット３５乃至３７の切換操作によってドライバユニット３１ｂに逆相入力を行い、独特な再生音を生成することが可能となる。
【００５３】
本発明の第４の実施の形態として図８に示したパネル型スピーカ装置４０は、例えば上述したディップ部分や過度のピークの発生を抑制して周波数応答特性の平坦化を図るために３個のデジタルフィルタ４４ａ乃至４４ｃを備えて構成されてなる。すなわち、パネル型スピーカ装置４０は、上述したパネル型スピーカ装置３０と同様にミラー板４を駆動する３個のドライバユニット４１ａ乃至４１ｃと、これら各ドライバユニット４１に対して再生入力信号を供給する入力部４２とから構成されている。入力部４２は、音声出力部４３から供給される再生入力信号に対して適当な信号処理を施す３個のフィルタ４４ａ乃至４４ｃと、これら各フィルタ４４を通過した再生入力信号を増幅して各ドライバユニット４１をそれぞれ駆動するアンプ４５ａ乃至４５ｃとから構成される。
【００５４】
パネル型スピーカ装置４０においては、音声出力部４３から供給される再生入力信号が、例えばインパルス応答の逆フィルタ作用を奏する各フィルタ４４によって上述したディップ部分や過度のピークを発生させる特定の周波数帯域を分離する等の信号処理を施されてアンプ４５を介して各ドライバユニット４１に供給される。パネル型スピーカ装置４０は、これによって再生周波数特性の平坦化が図られた再生出力が放音されるようになる。なお、パネル型スピーカ装置４０は、各フィルタ４４を適宜選択することによって、特定の周波数帯域のみを強調させた再生出力を放音することも可能となる。また、各フィルタ４４には、適宜のデジタルフィルタ或いはアナログフィルタが用いられ、再生入力信号に対して特定の周波数帯域の分離処理ばかりでなく振幅や位相等の適宜の信号処理を行うものが用いられる。
【００５５】
なお、パネル型スピーカ装置４０においては、信号処理を施して各ドライバユニット４１に再生入力信号を供給してこれらを駆動する各フィルタ４４について、それぞれのフィルタ係数に適当な遅れ成分を付与して構成するようにしてもよい。パネル型スピーカ装置４０は、かかる構成によってミラー板４から放音される再生出力の音波波面が制御されてその主軸を正面から適宜ずらすことが可能となることから、拡声化が図られる。
【００５６】
また、パネル型スピーカ装置４０においては、所定の信号処理を施して各ドライバユニット４１に再生入力信号を供給してこれらを駆動する各フィルタ４４について、それぞれのフィルタ係数に適宜の振幅成分を付与して構成してもよい。パネル型スピーカ装置４０は、かかる構成を採用することによって、スピーカアレィと同様に指向性を付与することが可能となる。したがって、パネル型スピーカ装置４０は、放音部が１枚のミラー板４によって構成されるが、複数の入力音源に対しても指向性の制御が可能なスピーカ装置を構成する。
【００５７】
本発明の第５の実施の形態として図９に示したパネル型スピーカ装置５０は、上述したパネル型スピーカ装置４０を基本として、目標とする最適な特性を得るフィルタ５５を入力部５２に備える展開例を示したものである。このパネル型スピーカ装置５０も、ミラー板４を駆動する３個のドライバユニット５１ａ乃至５１ｃと、これら各ドライバユニット５１に対して再生入力信号を供給する入力部５２とから構成されてなる。入力部５２は、音声出力部５３から再生入力信号がそれぞれ供給される第１のアンプ５４と、フィルタ５５及びこのフィルタ５５に接続された第２のアンプ５６とを備える。
【００５８】
パネル型スピーカ装置５０は、入力部５２の第１のアンプ５４を介して供給される再生入力信号によって上下に配置された第１のドライバユニット５１ａと第３のドライバユニット５１ｃとが駆動される。また、パネル型スピーカ装置５０は、入力部５２のフィルタ５５によって所定の信号処理を施された再生入力信号が第２のアンプ５６を介して供給されることによって中央部に配置された第２のドライバユニット５１ｂが駆動される。パネル型スピーカ装置５０は、このように第２のドライバユニット５１ｂに所定の信号処理を施した再生入力信号を供給することで、ミラー板４に発生する振動モードを制御する。
【００５９】
パネル型スピーカ装置５０は、例えばフィルタ５５において再生入力信号の逆相処理を行うことによって、第２のドライバユニット５１ｂを第１のドライバユニット５１ａと第３のドライバユニット５１ｃに対して異なる位相で駆動するようにする。パネル型スピーカ装置５０は、かかる構成によって通常の材料解析では予測し得ない振動モードでミラー板４の駆動が可能となり、結果的に上述したディップ部分や過度のピークの発生が抑制される。
【００６０】
パネル型スピーカ装置においては、振動板に幾何学的に対称位置に配置されたドライバユニットに互いに逆相の再生入力信号を供給して駆動することにより、ある特定の周波数帯域において振動板の材質にかかわらずこれらドライバユニットの等間隔位置で振動の節を強制的に生成することが可能となる。したがって、パネル型スピーカ装置では、かかる現象を巧みに利用することにより上述した各周波数帯域の感度調整、再生周波数特性の改善或いは音場や音質の調整等が可能となる。勿論、再生入力信号の信号処理は、各ドライバユニットに対してフィルタを適宜に組合せることによって行うようにしてもよい。
【００６１】
本発明の第６の実施の形態として図１０に示したパネル型スピーカ装置６０は、ミラー板４と、５個のドライブユニット６１ａ乃至６１ｅと、音声出力部６３ａ、６３ｂから供給される再生入力信号を処理して各ドライブユニット６１に入力する入力部６２とによって構成されてなる。勿論、パネル型スピーカ装置６０は、上述した各パネル型スピーカ装置と同様に、３個のドライブユニットによって１枚のミラー板４を駆動するように構成してもよい。
【００６２】
入力部６２は、第１の音声出力部６３ａから供給される再生入力信号に対して順次大きな遅れ成分ｄａ１、ｄａ２、ｄａ３、ｄａ４を付与する第１の遅れ成分供給回路６４ａ１乃至６４ａ４及び第２の音声出力部６３ｂから供給される再生入力信号に対して順次大きな遅れ成分ｄｂ１、ｄｂ２、ｄｂ３、ｄｂ４を付与する第２の遅れ成分供給回路６４ｂ１乃至６４ｂ４が備えられている。また、入力部６２には、第１のミキサ６５ａ乃至第５のミキサ６５ｅと、これらミキサ６５においてミキシングされた再生入力信号が供給されて各ドライバユニット６１をそれぞれ駆動する第１のアンプ６６ａ乃至第５のアンプ６６ｅとが備えられている。
【００６３】
第１のミキサ６５ａは、第１の音声出力部６３ａから供給された再生入力信号と第２の音声出力部６３ｂから供給されて遅れ成分ｄｂ４が付与された再生入力信号とをミキシングする。第２のミキサ６５ｂは、第１の音声出力部６３ａから供給されて遅れ成分ｄａ１が付与された再生入力信号と第２の音声出力部６３ｂから供給されて遅れ成分ｄｂ３が付与された再生入力信号とをミキシングする。第３のミキサ６５ｃは、第１の音声出力部６３ａから供給されて遅れ成分ｄａ２が付与された再生入力信号と第２の音声出力部６３ｂから供給されて遅れ成分ｄｂ２が付与された再生入力信号とをミキシングする。第４のミキサ６５ｄは、第１の音声出力部６３ａから供給されて遅れ成分ｄａ３が付与された再生入力信号と第２の音声出力部６３ｂから供給されて遅れ成分ｄｂ１が付与された再生入力信号とをミキシングする。さらに、第５のミキサ６５ｅは、第１の音声出力部６３ａから供給されて遅れ成分ｄａ４が付与された再生入力信号と第２の音声出力部６３ｂから供給された再生入力信号とをミキシングする。
【００６４】
パネル型スピーカ装置６０は、第１の音声出力部６３ａと第２の音声出力部６３ｂとからそれぞれ供給される再生入力信号が、遅れ成分の重みを変えた信号処理を施されて各ドライバユニット６１に供給される。したがって、パネル型スピーカ装置６０においては、第１の音声出力部６３ａの再生入力信号に基づいて、遅れ成分ｄに応じて第１のドライバユニット６１ａから第５のドライバユニット６１ｅに向かって次第に駆動が行われる。また、パネル型スピーカ装置６０においては、第２の音声出力部６３ｂの再生入力信号に基づいて、遅れ成分ｄに応じて第５のドライバユニット６１ｅと第１のドライバユニット６１ａに向かって次第に駆動が行われる。
【００６５】
パネル型スピーカ装置６０は、上述した動作によって、第１の音声出力部６３ａの再生入力信号に基づく再生出力がミラー板４の放音面４ａから図８の矢印ＡＡで示す方向へと放音される。また、パネル型スピーカ装置６０は、第２の音声出力部６３ｂの再生入力信号に基づく再生出力がミラー板４の放音面４ａから同図ＢＢで示す方向へと放音される。したがって、パネル型スピーカ装置６０においては、２チャンネルの音声出力部に対してそれぞれ異にする指向性が付与される。
【００６６】
本発明の第７の実施の形態として図１１に示したパネル型スピーカ装置７０は、ミラー板４を５個のドライブユニット７１ａ乃至７１ｅによって駆動するとともに２つの音声出力部７３ａ、７３ｂからそれぞれ再生入力信号を供給する構成について上述したパネル型スピーカ装置６０と同様とするが、２つの音声出力部７３から供給される再生入力信号を信号処理する入力部７２の構成に特徴を有している。勿論、このパネル型スピーカ装置７０についても、上述した各パネル型スピーカ装置と同様に、３個のドライブユニットによってミラー板４を駆動するように構成してもよい。
【００６７】
すなわち、入力部７２には、第１の音声出力部７３ａから供給される再生入力信号を信号処理する５個の第１のフィルタ７４ａ１乃至７４ａ５と、第２の音声出力部７３ｂから供給される再生入力信号を信号処理する５個の第２のフィルタ７４ｂ１乃至７４ｂ５からなる１０個のフィルタ７４が備えられている。また、入力部７３には、信号処理された第１の音声出力部７３ａから供給された再生入力信号と第２の音声出力部７３ｂから供給された再生入力信号とをミキシングする５個のミキサ７５ａ乃至７５ｅと、これらミキサ７５においてそれぞれミキシングされた再生入力信号が入力されることによって各ドライバユニット７１をそれぞれ駆動する５個のアンプ７６ａ乃至７６ｅとが備えられている。
【００６８】
第１のミキサ７５ａは、第１の音声出力部７３ａから供給されて第１のフィルタ７４ａ１において信号処理された再生入力信号と、第２の音声出力部７３ｂから供給されて第５のフィルタ７４ｂ５において信号処理された再生入力信号とが入力され、これらをチャンネル合成して第１アンプの７６ａに供給する。第２のミキサ７５ｂは、第１の音声出力部７３ａから供給されて第２のフィルタ７４ａ２において信号処理された再生入力信号と、第２の音声出力部７３ｂから供給されて第４のフィルタ７４ｂ４において信号処理された再生入力信号とが入力され、これらをチャンネル合成して第２のアンプ７６ｂに供給する。第３のミキサ７５ｃは、第１の音声出力部７３ａから供給されて第３のフィルタ７４ａ３において信号処理された再生入力信号と、第２の音声出力部７４ｂから供給されて第３のフィルタ７４ｂ３において信号処理された再生入力信号とが入力され、これらをチャンネル合成して第３のアンプ７６ｃに供給する。
【００６９】
さらに、第４のミキサ７５ｄは、第１の音声出力部７３ａから供給されて第４のフィルタ７４ａ４において信号処理された再生入力信号と、第２の音声出力部７３ｂから供給されて第２のフィルタ７４ｂ２において信号処理された再生入力信号とが入力され、これらをチャンネル合成して第４のアンプ７６ｄへと供給する。また、第５のミキサ７５ｅは、第１の音声出力部７３ａから供給されて第５のフィルタ７４ａ５において信号処理された再生入力信号と、第２の音声出力部７３ｂから供給されて第１のフィルタ７４ｂ１において信号処理された再生入力信号とが入力され、これらをチャンネル合成して第５のアンプ７６ｅへと供給する。
【００７０】
各フィルタ７４ａ、７４ｂには、上述したパネル型スピーカ装置４０に用いたフィルタ４４と同様に、例えば各フィルタ７４ａ、７４ｂに入力される再生入力信号に対して所定の周波数帯域の選択、任意の位相或いは振幅の信号処理を施すフィルタ係数を有するものが用いられる。パネル型スピーカ装置７０は、最適なフィルタ７４ａ、７４ｂを用いることによって、上述したパネル型スピーカ装置６０と比較してより効果的な指向特性をえることが可能となる。
【００７１】
また、パネル型スピーカ装置７０においては、各フィルタ７４ａ、７４ｂによってミラー板４を駆動する各ドライバユニット７１に供給する再生入力信号について特定の周波数帯域の制御を行うように構成してもよい。パネル型スピーカ装置７０は、これによってミラー板４中に多数の腹、節を有する振動モードを生成することが可能となり、振動モードの各腹の部位が発音源とみなされる。スピーカアレイにおいては、一般に高周波数帯域まで指向性を狭くする効果を得るために発音源の個数を多くとる必要があり、コストがアップするとともに装置が大型化しかつ使用者に圧迫感を与えるといった問題がある。パネル型スピーカ装置７０は、上述したようにより少数のドライバユニット７１によって目的とする狭指向性を得ることが可能となり、かつ放音面もミラー板４の放音面４ａｋ１個であることから小型で廉価に構成されて上述した問題点を解決する。なお、このパネル型スピーカ装置７０における狭指向性の向上は、上述した各パネル型スピーカ装置によっても達成されることは勿論である。
【００７２】
さらに、パネル型スピーカ装置７０においては、例えば各フィルタ７４ａ、７４ｂにそのフィルタ係数を経時的に更新させるように制御する制御部を設けることによって指向特性を変化させるように構成してもよい。パネル型スピーカ装置７０は、かかる構成を採用することによって特殊な機械的構成を用いることなく放音軸の回転、移動等の特殊な音響効果の生成が可能となる。勿論、かかる構成は、上述した各パネル型スピーカ装置にも採用することができる。
【００７３】
本発明においては、上述した各実施の形態で説明した個々の技術を適宜に組み合わせ、これらを電気的或いは機械的に切り換えて振動板を駆動するように構成してもよい。パネル型スピーカ装置は、上述した第２の実施の形態のパネル型スピーカ装置２０乃至第７の実施の形態のパネル型スピーカ装置７０に示したようにミラー板４を多数個のドライバユニットによって駆動するように構成することによって、指向特性ばかりでなく低周波数帯域から高周波数帯域まで優れた音質と音量による再生出力を可能とする。したがって、パネル型スピーカ装置は、ナビゲーション装置のスピーカ装置ばかりでなく、搭載されたラジオ受信機やカーステレオのスピーカ装置として用いることも充分に対応可能である。
【００７４】
また、上述した各実施の形態においては、パネル型スピーカ装置を乗用車等のバックミラー装置として兼用する場合を示したが、例えば各部屋等に配置される姿見等の鏡板を振動板として兼用することによって新規なスピーカ装置を構成してもよいことは勿論である。パネル型スピーカ装置は、室内の場所をとらずまた雰囲気を損なわずにスピーカシステムを構築する。
【００７５】
【発明の効果】
上述したように、本発明にかかるパネル型スピーカ装置は、供給された再生入力信号に基づいてドライバユニットによって駆動されて再生出力を放音する振動体を鏡板によって構成したことにより、従来のように大型のスピーカボックスを設置して室内等の雰囲気を損なうことが無い新規なスピーカシステムを構築することができる。
このパネル型スピーカ装置は、特に自動車用のバックミラー装置の鏡板を振動体として搭載されたナビゲーションシステム等のスピーカ装置を構成することによって、限られた車内に場所をとらずに設置でき、音声ガイドや警報音等をエンジン音や走行音によってマスキングされることなく充分な音量と良好な音質で運転者には勿論のこと同乗者に対しても充分な音量と良好な音質で報知する。
【図面の簡単な説明】
【図１】本発明の第１の実施の形態として示すパネル型スピーカ装置をナビゲーション装置のスピーカ装置として、バックミラー装置に適用した使用状態の斜視図である。
【図２】同パネル型スピーカ装置の要部縦断面図である。
【図３】同パネル型スピーカ装置の要部縦断面図である。
【図４】同パネル型スピーカ装置の振動板を構成するミラー板の振動モードの状態を説明する図である。
【図５】同パネル型スピーカ装置の入力周波数に応じた指向特性の測定図である。
【図６】本発明の第２の実施の形態として示すミラー板を３個のドライバユニットによって駆動するパネル型スピーカ装置の要部構成図である。
【図７】本発明の第３の実施の形態として示すミラー板を３個のドライバユニットによって駆動する他のパネル型スピーカ装置の要部構成図である。
【図８】本発明の第４の実施の形態として示すミラー板を３個のドライバユニットによって駆動する他のパネル型スピーカ装置の要部構成図である。
【図９】本発明の第５の実施の形態として示すミラー板を３個のドライバユニットによって駆動する他のパネル型スピーカ装置の要部構成図である。
【図１０】本発明の第６の実施の形態として示すミラー板を５個のドライバユニットによって駆動するパネル型スピーカ装置の要部構成図である。
【図１１】本発明の第７の実施の形態として示す振動板を５個のドライバユニットによって駆動する他のパネル型スピーカ装置の要部構成図である。
【符号の説明】
１  パネル型スピーカ装置（バックミラー装置）、２  コンソールボックス、３  ナビゲーション装置本体、４  ミラー板、４ａミラー面（放音面）、４ｂ  被駆動面、４ｃ  外周部、５  ドライバユニット、６  ミラーカバー、７  透明基板、８  反射層、９  ボイスコイル、１０  磁気回路、１１  ボビン、１２  コイル部、１３  センタポール、１４  マグネット、１５  プレート、１６  ダンパ
【図１】
0003861433.tif 000002
【図２】
0003861433.tif 000003
【図３】
0003861433.tif 000004
【図４】
0003861433.tif 000005
【図５】
0003861433.tif 000006
【図６】
0003861433.tif 000007
【図７】
0003861433.tif 000008
【図８】
0003861433.tif 000009
【図９】
0003861433.tif 000010
【図１０】
0003861433.tif 000011
【図１１】
0003861433.tif 000012